(57)【要約】【課題】電子機器を、耐衝撃性材料によってその背面部及び周壁部を密着させて確実に保持かつ安定性よく保持すると共に保護し、携行に便利でかつ操作性のよい携行ホルダーを提供する。【解決手段】ホルダー本体１が耐衝撃性材料で一体的に構成され、収納する電子機器の背面形状と略等しい背面板２と、電子機器の厚さと略等しい高さでこの四周に起立して設けられた周壁３とからなり、これらによって形成された凹部に電子機器５の背面を密着して収納しかつ四周方向からも電子機器５の側面を密着して支えるようになっており、しかも相対する一対の側面には電子機器５の収納を安定させる止め具４を横方向から出没自在に取付けていることを特徴とする。【選択図】図１
2012075838.tif 000002
【特許請求の範囲】
【請求項１】
ホルダー本体が耐衝撃性材料で一体的に構成され、収納する電子機器の背面形状と略等しい背面板と、電子機器の厚さと略等しい高さでこの四周に起立して設けられた周壁とからなり、これらによって形成された凹部に電子機器の背面を密着させると共に四周方向からも電子機器の側面を密着して支えて収納するようになっており、しかも相対する一対の側面には電子機器の収納を安定させる止め具を横方向から出没自在に取付けていることを特徴とする電子機器の携行ホルダー。
【請求項２】
ホルダー本体の背面及び正面を覆うことができ、かつこれらを繋ぎ正面を開閉自在にできるようにした硬質材料製のカバーを取り付けたことを特徴とする請求項１記載の電子機器の携行ホルダー。
【請求項３】
カバーの背面に、ホルダーの側縁を支えて起立するための支え片を取付けたことを特徴とする請求項２記載の電子機器の携行ホルダー。
【請求項４】
ホルダー本体が耐衝撃性樹脂材料で形成されていることを特徴とする請求項１ないし３記載の電子機器の携行ホルダー。
【発明の詳細な説明】
【技術分野】
【０００１】  この発明は、タブレット型コンピューターやモバイルコンピューターなど携行に便利な電子機器を確実かつ安定性よく保持し、携行して便利に使用できるようにした電子機器の携行ホルダーに関するものである。
【背景技術】
【０００２】  最近携行して種々の場所で多様に使用することができる、タブレット型コンピューターやモバイルコンピューターなどの電子機器が広く普及している。しかし携行しているときあるいは適宜な場所で使用する際に、安定性良く使用できなかったり、他の器物に接触、衝突したりまたは落下させて、電子機器に傷をつけたり、甚だしくは故障させてしまうことがあった。
【先行技術文献】
【特許文献】
【０００３】
【特許文献１】  実用新案登録第２５１２４２１号公報
【特許文献２】  実用新案登録第２５５０７０３号公報
【発明の概要】
【発明が解決しようとする課題】
【０００４】  上述したトラブルを防止するため、電気機器を収納して保護する収納袋やケースが，例えば特許文献１や特許文献２などによって提案され、また多くの製品も市場に出回っている。
ところで最近の電子機器では携行するタイプのものでも薄くて画面も広くなり、機種によっては画面を触れて操作するものも出現している。従ってこのような電子機器の普及に伴い、使用目的に合致し安定性良く確実に保持して使用でき、しかも広い画面をもつ機器でも有効に活用するに適したものが求められている。【０００５】  本発明は、このような状況に鑑み、画面の視認に邪魔にならず、しかも画面上の操作にも支障のないよう、電子機器の背面と全周面とでしっかりと安定性良く保持し、また場合によっては電子機器を机上などに立て掛けて使用する際にも用いることができるができ、これによって使用はもちろん携行にも好適な携行ホルダーを提供しようとするものである
【課題を解決するための手段】
【０００６】  すなわち本発明はかかる目的を達成するためになされたもので、その要旨とするところは、ホルダー本体が耐衝撃性材料で一体的に構成され、収納する電子機器の背面形状と略等しい背面板と、電子機器の厚さと略等しい高さでこの四周に起立して設けられた周壁とからなり、これらによって形成された凹部に電子機器の背面を密着して収納しかつ四周方向からも電子機器の側面を密着して支えるようになっており、しかも相対する一対の側面には電子機器の収納を安定させる止め具を横方向から出没自在に取付けていることを特徴とする電子機器の携行ホルダーにある。
また本発明は、ホルダー本体の背面及び正面を覆うことができ、かつこれらを繋ぎ正面を開閉自在にできるようにした硬質材料製のカバーを取り付けたことを特徴とするものである。
【発明の効果】
【０００７】    本発明は前記の如き構成からなるものであるから、画面の視認に邪魔にならず、しかも画面上の操作にも支障のないよう、電子機器の背面と全周面とでしっかりと安定性良く保持して保護し、また場合によっては電子機器を机上などに立て掛けて使用する際にも用いることができるができ、これによって使用はもちろん携行にも好適な携行ホルダーを提供し得る効果がある。
【図面の簡単な説明】
【０００８】
【図１】本発明の電子機器の携行ホルダーを示す斜視図である。
【図２】図１にタブレット型コンピューターを収納した状態の斜視図である。
【図３】本発明の第２の実施例を示す携行ホルダーで、カバーを取り付けた状態を示す斜視図である。
【図４】図３の携行ホルダーのカバーを用い縦型に立て掛けた状態を示す斜視図である。
【図５】本発明の第３実施例を示す斜視図である。
【図６】図５の状態からカバーを開いて折り返した状態を示す斜視図である。
【図７】図５の背面から見た斜視図である。
【図８】第３実施例のカバーを利用して横型に立ち掛けた状態を示す斜視図である。
【図９】本発明に用いる止め具を示す拡大斜視図である。
【発明を実施するための形態】
【０００９】  以下本発明の実施の形態を図面に基づき説明する。
図１及び図２は本発明の第１実施例を示すもので、図１は耐衝撃性を有する例えばＡＢＳ樹脂で一体的に成形されたホルダー本体で、２は収納する電子機器の背面形状と略等しい形状の背面板、３は同じく電子機器の厚さと略等しい高さで背面板２の四周に起立して設けられた周壁である。そしてこの背面板２と周壁３とによって電子機器の背面を密着して収納すると共に四周方向からも電子機器の側面を密着して支えるための凹部が形成されている。
【００１０】  この例においては、背面板２の強度を向上させるために縦横に伸びる複数本のリブ２Ａが内面に設けられているが、この例では背面が外方に緩い凸の曲面をもつ電子機器の収納を想定しているため、このリブ２Ａはこれに相応する凹の曲面を形成するように上面を曲面状となるようにしている。
また図中３Ａは、周壁３の適宜箇所に設けた切り欠きで、これは電子機器に接続するＵＳＢなどの外部記憶端子などを接続するために供するものである。
なお図中２Ｂは、後述するカバーをホルダー本体１に取付けるために使用する取付孔である。
【００１１】  そして本発明は、周壁３の相対する一対の側面には、電子機器の収納を安定させるための止め具４を取付けている。この止め具４は、ホルダー本体１の横方向、すなわち側方の周壁２から出没自在に取付られている。
すなわち図９に示す通り、断面略逆Ｌ字型の可動部４Ａが平坦な固定部４Ｂに対し大小２つのボス４Ｃ，４Ｄによって、矢印方向に摺動可能に取り付けられている。そしてこの止め具４を、固定孔４Ｆを用い背面板２に螺合している。このとき可動部４Ａの折返し縁４Ｅを背面板２中央方向にスライドすることにより、小さいボス４Ｄが固定部の４Ｂの溝４Ｇに入り込み、可動部４Ａの折り返し縁４Ｅが電子機器５の側縁に係合して電子機器を安定させることができるようになっている。したがって使用時や携行時にこの止め具４が操作の邪魔になったり他の器物に接触したりすることがない。
この止め具４を外すときは、上記の逆のスライド操作により図９の状態に可動部４Ａの折り返し縁４Ｅを戻すことによって簡単に行うことができる。
【００１２】  図２は、図１に示した携行ホルダーにタブレット型コンピューターなどの電子機器５を収納させた状態を示しており、ホルダー１の背面板２及び周壁３によって形成された凹部に収納し、相対する一対の側部に取付けた止め具４により、安定性良く保持されて保護されている。
【００１３】  図３及び図４は本発明の第２実施例を示しており、図３は硬質板を芯にし表面に皮革で覆った硬質材料製のカバー６を、前述した取付孔２Ｂにタップなどを用いて取り付け、カバー６を開いた状態を示している。この例ではホルダー本体１の正面と背面とを繋ぎ、正面を開閉できるようになっている。そして、図６はカバー６に一辺を折り返して立て掛けた状態を示している。このように硬質材料のカバー６を取り付けると、図のように水平に置いたり、これを縦型にして立て掛けて置いておくことができるので便利である。
【００１４】  次の図５ないし図８は、本発明の第３実施例を示すものである。すなわちこの例では、スナップ６Ａを備えたカバー６を取り付けた例を示し、図５の例では横型にした状態を示している。このように、スナップ６Ａを有していると、カバー６を閉じたときに確実に電子機器５を保持できる利点がある。
図６はこのカバー６を開いてカバー６の一辺を略３６０度折り曲げるようにしたもので、このようにすると、机上などに載せ水平状態で使用するときに便利である。
【００１５】  また図７は、図５に示した状態のカバー６の背面を示しており、この面に立て掛け用の支え片６Ｂを設けている。そしてこの支え片６Ｂは、図８のように立て掛けて使用できるようになっている。すなわち、この例においては、支え片６Ｂの内側には数条の凹み６Ｃが設けられているので、この凹み６Ｃにカバー６の端縁を収めることにより、立て掛けた状態を一層安定性良く支えることができる特徴がある。この例の支え片６Ｂはカバー６背面を一部切り開いた状態で設けているので、使用しないときは背面に収めることができるため、特に背面に飛び出すようなことがなく、カバー６を取り付けた状態でも平面状を保ち携行に支障を起こすことがない。勿論この状態から図５の状態に戻すことも容易に行なうことができる。
この例においては、凹み６Ｃを２条設けているので、いずれかを選択することにより、立て掛けたときの電子機器５の傾きを変えることができる。
【００１６】  以上３つの実施例に従って説明したが、第１実施例においては、電子機器５を背面板２及び周壁３で形成する凹部にしっかりと収納しさらに止め具４で固定しているので安定良く携行して使用することができる。そして電気機器５を携行ホルダーから外すときは、止め具４をスライドさせて容易に行なうことができる。
また第２及び第３の実施例のようにさらにカバー６を取り付けることにより、電子機器５の前面を保護することができ、かつカバー６を巧みに利用して電子機器５を立て掛けして用いることができる。
【００１７】  本発明のホルダー本体１に使用する耐衝撃性材料とは、携行時に収納した電子機器を保持し保護し得る程度の性能を備えた材料を用いることができ、前述したＡＢＳ樹脂以外にポリプロピレンやポリカーボネートやこれらに他の樹脂材料を複合した樹脂が使用できる。また、電子機器５を安全に収納し、一定の耐衝撃性を発揮できるものであれば樹脂以外の材料でも使用することができる。なお必要があるときには、背面板２の内側にフェルトなどの緩衝性のあるシートを介在させて密着性と耐衝撃性を向上させることもできる。また周壁３の内面に、クッション性のあるテープなどを貼着して、同様に密着性や耐衝撃性を向上させることもできる。
また止め具４は金属で製作することが望ましいが、これを高強度の樹脂材料で代用させることもできる。
【００１８】  また本発明に用いるカバー６として、実施例においては硬質板を芯にし表面に皮革で覆ったものを用いているが、これに限定されるものではなく、木材、樹脂材、金属材を芯とし、適宜の表装材で覆ったものを使用することもできる。なおこのカバー６の硬質材料とは、電子機器５を立て掛けて支えることが程度の硬さを意味しており、このような硬度があれば、例えば他の樹脂材料や金属材料などを単独で用いることができる。
【符号の説明】
【００１９】    １    ホルダー本体
２    背面板
３    周壁
４    止め具
５    電子機器
６    カバー
【図１】
2012075838.tif 000003
【図２】
2012075838.tif 000004
【図３】
2012075838.tif 000005
【図４】
2012075838.tif 000006
【図５】
2012075838.tif 000007
【図６】
2012075838.tif 000008
【図７】
2012075838.tif 000009
【図８】
2012075838.tif 000010
【図９】
2012075838.tif 000011